(57)【要約】      （修正有）【課題】携帯電話機にイヤフォンを使用しなくても高音質な音楽が拝聴できる携帯電話機用ケースを提供する。【解決手段】硬質素材を使用して平面部に組鍵を配置し、前面部１１と背面部１２で携帯電話機を挟み込みネジで固定する工法の携帯電話機用ケース１である。携帯電話機２のサウンドを高音質へと進化させるリフレクター１３，１４を前面部１１の下部、左右に設けている。硬度で軽量な金属素材のため持ち重り感が無く、携行でき、公共の場所ではイヤフォンの使用も可能で、イヤフォンを使用しない時も、高音質なサウンドをどこででも楽しむことが出来る。よって、従来の耳疲れや持ち歩きの必要が無く、硬質ケースのため携帯電話機の保護も安心である。【選択図】図１
0003178937.tif 000002
【実用新案登録請求の範囲】
【請求項１】
携帯電話機のサウンドを高音質へと変化させるリフレクター機能を特徴とする携帯電話機用ケース。
【請求項２】
硬質素材を使用して平面部に組鍵を配置し、前面部と背面部をネジ止めする構造を設けた請求項１記載の携帯電話機用ケース。
【請求項３】
また硬質素材で携帯電話機を覆う構造は、携帯電話機の外的形状により左右側面及び上面、底面の４側面分割構造とし、底面部にリフレクターを設けた請求項１記載の携帯電話用ケース。
【請求項４】
また、硬質素材で両側面と上面部を一体構造とし、底面部にリフレクターを配置した２分割構成を設けた請求項１記載の携帯電話用ケース。
【請求項５】
金属製携帯電話機用ケースに多い電波障害の問題を解決するため携帯電話機のアンテナに干渉しないように側面部をシースルーに仕上げた請求項２記載の携帯電話用ケース。
【請求項６】
また、プラスチック等の樹脂及び合成素材又は木材を活用した請求項２又は請求項３又は請求項４記載の携帯電話機用ケース。
【請求項７】
また、金属素材を活用した請求項２又は請求項３、又は請求項４記載の携帯電話機用ケース。
【考案の詳細な説明】
【技術分野】
【０００１】
本考案は、携帯電話機（例：iPhone：登録商標）の保護又は装飾に使用される携帯電話機用ケースに関する。
【背景技術】
【０００２】
従来、硬質プラスチックやシリコン素材、木製、皮革素材、金属素材などを活用した製品により携帯電話機を保護または装飾、若しくは携行するために装着するケースが利用されている。
【考案の概要】
【考案が解決しようとする課題】
【０００３】
近年、多機能携帯電話機の出現に伴い、インターネットを使用した音楽配信システムにより自分の好きな音楽をダウンロードして、好きな時間にどこででも拝聴出来るようになった。通常はイヤフォンを使用して拝聴するが、公共の場所や乗り物の中では良いにしても、仕事の合間や一人の時間での利用時もイヤフォンを装着しなければ成らず、耳疲れや持ち歩かねば成らないという問題があった。
【０００４】
又、直接、携帯電話機内臓のスピーカーから音楽を拝聴する場合、音の伝わりが広角なため高音質なサウンドを拝聴することが出来ないという問題があった。
【０００５】
本考案は、前記した従来技術の問題点に鑑みて、使用者の耳疲れや持ち歩きを軽減し、高音質なサウンドを拝聴出来る、及び保護の目的と装飾としての美観にも考慮した携帯電話機用ケースを提供することを目的とする。
【課題を解決するための手段】
【０００６】
前記目的を達成するために、本考案にかかる携帯電話機用ケースは、硬質素材を使用して、平面中央に設けた組鍵と、携帯電話機を前面部と背面部で挟み、ネジ止めするという二つの工法を採用し、かつ携帯電話機（例：iPhone=商標登録）の下部に内蔵されたスピーカー位置にリフレクター（反響板）を配置した構造を特徴とする。
【０００７】
スピーカーから発せられる音の反響効果は、素材の硬度、反響板の角度などで異なる。よって、硬度な素材を使用し、音を前に広げる構造に仕上げ高音質化を図った。
【０００８】
また、金属素材のケースに多い電波障害の問題を解決するために、アンテナに干渉しないデザインを採用した。
【０００９】
また、硬質素材で携帯電機を覆う構造は、携帯電話機の外的形状により左右及び上面、底面の４側面分割構造とし、底面部にリフレクターを配置する構造でも好ましい。
【００１０】
その他、両側面と平面部を一体構造とし、底面部にリフレクターを配置した２分割構造も好ましい。
【００１１】
また、硬質素材をプラスチック等の樹脂および合成素材又は木材を活用した本考案の携帯電話機用ケースも製作可能である。
【考案の効果】
【００１２】
本願考案の携帯電話機用ケースによれば、硬度で軽量な金属素材のため持ち重り感が無く、携行でき、公共の場所ではイヤフォンの使用も可能で、イヤフォンを使用しない時も、高音質なサウンドをどこででも楽しむことが出来る。よって、従来の耳疲れや持ち歩きの必要が無く、硬質ケースのため携帯電話機の保護も安心である。
【００１３】
また、デスクなどの卓上でも自立が可能でステレオのように音楽を聴いたり、ビデオを観たり、音楽を聴きながら写真スクロールも出来、自分の時間を楽しむことが出来る。
【図面の簡単な説明】
【００１４】
【図１】本考案にかかる携帯電話機用ケースの使用状態の斜視図である。
【図２】前記携帯電話機用ケースの実施の形態の斜視図である。
【図３】前記携帯電話機用ケースの正面図である。
【図４】前記携帯電話機用ケースの背面図である。
【図５】前記携帯電話機用ケースの使用状態の左右側面図である。
【図６】前記携帯電話機用ケースの使用状態の平面図である。
【図７】前記携帯電話機用ケースの底面図である。
【図８】前記携帯電話機用ケースの断面図である。
【図９】前記携帯電話機用ケースの有無による周波数特性変化図である。
【考案を実施するための形態】
【００１５】
以下に、図面を参照しながら本考案の実施形態について詳細に説明する。
【００１６】
図１は、本考案の携帯電話機用ケースの使用状態を表す斜視図である。携帯電話機２を本考案の携帯電話機用ケース１の前面部１１と背面部１２で挟み込む構造である。１３は、携帯電話機２の底面部に設置されたスピーカー部に斜めに接しているため、スピーカーより発せられた音は傾斜面にぶつかり前方向へ音が広がる仕組みである。また、１４は、携帯電話機２の通話時の収音マイク機能として、会話中の声がリフレクターを通して、はっきりとしたクリアな声を拾い、通話先へ届ける機能を有している。
【００１７】
また、本考案の携帯電話機用ケース１の側面部をシースルーにして、金属素材のケースに多い電波障害を解決するために、携帯電話機２の外周を取巻くアンテナ部２４に干渉しないデザインとした。また、シースルーにすることで側面に設けてあるミュートスイッチ２１、および音量調整用ツマミ２２．２３の操作性も良くなった。また、本考案の携帯電話機用ケース１は、卓上でタテ置き、またはヨコ置きと自立することが出来、手に持たなくても、または寝かせるといった従来の携帯電話機用ケースと違い、高画質の画像と合わせて高音質のサウンドを拝聴することが出来る。
【００１８】
図２は、前記携帯電話機用ケースの実施の形態の斜視図である。携帯電話機用ケース１は、前面部１１と背面部１２から構成されている。携帯電話機２を前面部１１と背面部１２で挟み込んで背面部１２下部に設けている左右のネジ箇所（図４：４）に接合用ネジで締める工法と双方の平面部に跨る凹凸形状の組鍵１６で固定する工法を採用している。側面部１７は、金属ケースに多い電波障害を解決するためにアンテナに干渉しないようシースルー構造を示している。
【００１９】
また、背面部１２の携帯電話機と接する内側の面には、裏窓１８を取り囲むように自己粘着性シリコン３を配置している。これは、携帯電話機２と本考案の硬質ケースが直接触れて傷等を防ぐ狙いと落下による衝撃から携帯電話機２を守るためのクッション的役目を担っている。
【００２０】
図３は、前記携帯電話機用ケースの正面図である。前面部１１は、携帯電話機２のタッチパネルを見やすくするためにフレーム枠を大きく取っている。また、リフレクター１３．及び１４の配置を表している。背面部１２には、携帯電話機用の裏窓１８を示している。裏窓１８の外部形状は、右上の箇所に携帯電話機のカメラ機能のレンズが配置されているためである。正面フレーム枠は、下部リフレクター部を除いて左右、上面均一性を考慮している。
【００２１】
図４は、前記携帯電話機用ケースの背面図である。フレーム１８は、（００２０）で説明したように携帯電話機と接する内側の面に自己粘着性のシリコンを配置するために前面部１１のフレームと非対称とした。これにより側面部及び上面部のシースルー化を可能としている。また、１９は、携帯電話機２を充電する時に使用する充電用コネクターの差込を安易にするための充電用コネクタスペースである。固定用ネジ穴４を下部左右に設けている。
【００２２】
図５は、前記携帯電話機用ケースの使用状態の左右側面図である。携帯電話機２の側面に取巻くアンテナ部に干渉しない構造を示している。１６は、前面部１１と背面部１２を接合するための組鍵である。携帯電話機２のツマミ２１やスイッチ２２及び２３が露出しているため操作性に優れた構造である。
【００２３】
図６は、前記携帯電話機用ケースの使用状態の平面図である。携帯電話機２に携帯電話機用ケース１を固定する組鍵１６の形態を示している。また、携帯電話機２の
電源スイッチ２６やイヤフォンジャック差込口２５およびアンテナ部２４に触れない構造としているため、操作性の良さおよび電波障害の不安を取り除いている。
【００２４】
図７は、前記携帯電話機用ケースの底面図である。携帯電話機を充電する際の充電用コネクタスペース１９は、携帯電話機を充電する時に簡単に充電用コネクターを挿入できるように考えたスペースである。又、底面から見た前面部１１および背面部１２上面に配置している組鍵１６を示している。
【００２５】
図８は、前記携帯電話機用ケースの断面図である。図３のA-A’の断面図を表している。携帯電話機用ケース１の前面部１１の下部に設けているリフレクター１３は、図１で示すように、携帯電話機内臓のスピーカーより発せられた音が傾斜面に反響し、前方向５から聞こえてくる構造である。音は硬質素材の傾斜面にぶつかる時、通常は小さな音に聴こえる高音域が反響音として特に高音質で聞くことができ、全体のサウンドも引き締まったクリアなサウンドとなる。
【００２６】
図９は、前記携帯電話機用ケースの有無による周波数特性変化図である。人間の耳が認識しやすい周波数帯は３００Ｈｚ〜４ＫＨｚと言われる。ケース装着時は内部に傾斜があるリフレクターのおかげで、その音域の音がより前面に出る。その結果音楽などを再生した時の音質も向上する。
【産業上の利用可能性】
【００２７】
従来、金属製の携帯電話機用ケースは、前記にて述べたように電波障害の問題を抱え、かつ原価の高騰、もしくは生産性の難しさなどからあまり流通に向いていなかった。その結果、マニアを対象とした個性的なデザインによる一部の支持でしかなかった。本考案の携帯電話機用ケースは、従来の携帯電話機用ケースと違い、携帯電話機のサウンドを高音質へ進化させる機能を備え、電波障害を解決するためのデザインを採用してことで、シンプルなフォルムとなり年齢を問わずユーザーの獲得範囲を広げることができる。今まで金属加工業者が入りにくい携帯アクセサリー分野への進出を可能とした。
【００２８】
また、携帯電話機の新商品にも次々にデザインチェンジで対応が可能で、今後永続的な市場参入による産業の活性を呼び込むことが出来る。また、携帯電話機は、世界的に見ても今や必要不可欠アイテムとして市場の開拓が見込まれる分野である。
【符号の説明】
【００２９】
１携帯電話機用ケース
２携帯電話機
３シリコン
４取付け用ネジ穴
５リフレクター（反響板）口
１１前面部
１２背面部
１３リフレクター（スピーカー用）
１４リフレクター（収音用マイク）
１５充電用コネクター差込口
１６組鍵
１７側面シースルー部
１８背面部裏窓
１９充電用コネクタスペース
２１消音スイッチ
２２音量調節用ツマミ（大）
２３音量調節用ツマミ（小）
２４アンテナ部
２５イヤフォン差込口
２６電源スイッチ
【図９】
0003178937.tif 000003
【図１】
0003178937.tif 000004
【図２】
0003178937.tif 000005
【図３】
0003178937.tif 000006
【図４】
0003178937.tif 000007
【図５】
0003178937.tif 000008
【図６】
0003178937.tif 000009
【図７】
0003178937.tif 000010
【図８】
0003178937.tif 000011
【手続補正書】
【提出日】平成24年8月8日(2012.8.8)
【手続補正１】
【補正対象書類名】実用新案登録請求の範囲
【補正対象項目名】全文
【補正方法】変更
【補正の内容】
【実用新案登録請求の範囲】
【請求項１】
携帯電話機の底面部に内蔵されたスピーカー部及びマイク部に接するように携帯電話機用ケースの下部に設けた傾斜面を有するリフレクター（反響板）を特徴とする携帯電話機用ケース。
【請求項２】
硬質素材を使用して平面部に組鍵を配置し、前面部と背面部をネジ止めする構造を設けた請求項１記載の携帯電話機用ケース。
【請求項３】
硬質素材で携帯電話機を覆う構造は、携帯電話機の外的形状により左右側面及び上面、底面の４側面分割構造とし、底面部にリフレクターを設けた請求項１記載の携帯電話用
ケース。
【請求項４】
硬質素材で両側面と上面部を一体構造とし、底面部にリフレクターを配置した２分割構成を設けた請求項１記載の携帯電話用ケース。
【請求項５】
金属製携帯電話機用ケースに多い電波障害の問題を解決するため携帯電話機のアンテナに干渉しないように側面部をシースルーに仕上げた請求項２記載の携帯電話用ケース。
【請求項６】
上記硬質素材がプラスチックなどの樹脂及び合成素材又は木材から成る請求項２又は請求項３又は請求項４記載の携帯電話機用ケース。
【請求項７】
上記硬質素材が金属素材から成る請求項２又は請求項３、又は請求項４記載の携帯電話機用ケース。